(57)【要約】  容量性タッチセンサ装置は、閲覧領域及び境界領域を含む。閲覧領域と境界領域の両方の中に、電気感知ノード又は電極が配置される。
2017524203.tif 000002
【特許請求の範囲】
【請求項１】
容量性タッチセンシティブ装置であって、
タッチセンシティブな閲覧領域と、
前記タッチセンシティブな閲覧領域を取り囲む境界領域と、
前記タッチセンシティブな閲覧領域内に配置され、第１の方向に沿って延びる複数の隔置された第１の導電性電極と、
前記タッチセンシティブな閲覧領域内に配置され、異なる第２の方向に沿って延びる複数の隔置された第２の導電性電極と、
複数のノードであって、各ノードが、前記ノードで互いを横断する対応する第１及び第２の電極によって画定され、各第１の電極が少なくとも１つの第２の電極を横断し、各第２の電極が少なくとも１つの第１の電極を横断し、前記タッチセンシティブ装置が、前記ノードで互いを横断する前記対応する第１の電極と第２の電極との間の結合容量の変化を検出することによって、ノード近傍で加えられた接触の位置を検出するように構成されている、複数のノードと、
前記複数の第１及び第２の電極をコントローラに電気的に結合するために前記境界領域内に配置された複数の導電性バスラインとを備え、前記複数のノードのうちの少なくとも１つのノードが前記境界領域内に配置されている、容量性タッチセンシティブ装置。
【請求項２】
前記タッチセンシティブな閲覧領域が光学的に透明である、請求項１に記載のタッチセンシティブ装置。
【請求項３】
前記境界領域が光学的に不透明である、請求項１に記載のタッチセンシティブ装置。
【請求項４】
各第１の電極が、複数の導電性エッジを接続する複数の頂点を含む光学的に透明な導電性メッシュを含む、請求項１に記載のタッチセンシティブ装置。
【請求項５】
各第１及び第２の電極が自己支持型の導電性ワイヤを含む、請求項１に記載のタッチセンシティブ装置。
【請求項６】
前記導電性ワイヤが、前記導電性ワイヤ上に被覆された絶縁クラッディングによって取り囲まれている、請求項５に記載のタッチセンシティブ装置。
【請求項７】
各バスラインが自己支持型の導電性ワイヤであって、該導電性ワイヤ上に被覆された絶縁クラッディングによって取り囲まれている導電性ワイヤを含む、請求項１に記載のタッチセンシティブ装置。
【請求項８】
前記複数のノードのうち、前記境界領域内に配置された前記少なくとも１つのノードが、前記少なくとも１つのノードで互いを横断する第１の電極及び第２の電極に対応し、前記第１及び第２の電極の少なくとも１つが、前記境界領域内に配置された前記複数の導電性バスラインのうちの１つのバスラインに電気的に接続されていない、請求項１に記載のタッチセンシティブ装置。
【請求項９】
前記タッチセンシティブな閲覧領域が、第１の最大幅を有し、前記境界領域が、前記第１の最大幅より少なくとも１０倍小さい第２の最大幅を有する、請求項１に記載のタッチセンシティブ装置。
【請求項１０】
ディスプレイシステムであって、
情報を表示するように構成された閲覧領域を有するディスプレイと、
前記ディスプレイ上に配置された請求項１に記載のタッチセンシティブ装置とを備え、前記タッチセンシティブな閲覧領域が、前記ディスプレイの前記閲覧領域と実質上位置合わせされている、表示システム。
【発明の詳細な説明】
【背景技術】
【０００１】
電子ディスプレイは広く使用されている。過去には、電子ディスプレイの使用は、主にデスクトップコンピュータ及びノートブックコンピュータなどのコンピューティングの適用分野に制限されていたが、処理パワーがより容易に利用可能になるにつれて、そのような能力が多種多様な適用分野に組み込まれるようになってきた。たとえば、現在、いくつかの例を挙げると、現金窓口機、ゲーム機、自動車ナビゲーションシステム、レストラン管理システム、食料品店の精算ライン、給油ポンプ、情報キオスク、及び手持ち式データオーガナイザなどの適用分野で、電子ディスプレイを見ることは一般的である。
【０００２】
対話型の視覚ディスプレイは、何らかの形のタッチセンシティブスクリーンを含むことが多い。携帯型のマルチメディアデバイスの出現に伴い、タッチセンシティブパネルを視覚ディスプレイと一体化することは、ますます一般的になりつつある。タッチセンシティブパネルのための容量性タッチ感知技法は、タッチパネル上の接触によって生じる容量結合に起因する信号の変化を感知することを伴う。タッチパネル上の電極に電界が印加される。タッチパネル上の接触は容量結合し、それにより接触部近傍の電界を変える。この電界の変化が検出され、これを使用して接触位置を判定する。
【発明の概要】
【課題を解決するための手段】
【０００３】
本開示は、閲覧領域及び境界領域を含む容量性タッチセンサ装置に関する。閲覧領域と境界領域の両方の中に、電気感知ノード又は電極が配置される。
【０００４】
一態様では、容量性タッチセンシティブ装置は、タッチセンシティブな閲覧領域と、タッチセンシティブな閲覧領域を取り囲む境界領域とを含む。複数の隔置された第１の導電性電極が、タッチセンシティブな閲覧領域内に配置され、第１の方向に沿って延び、複数の隔置された第２の導電性電極が、タッチセンシティブな閲覧領域内に配置され、異なる第２の方向に沿って延びる。容量性タッチセンシティブ装置は、複数のノードを含む。各ノードは、ノードで互いを横断する対応する第１及び第２の電極によって画定される。各第１の電極は、少なくとも１つの第２の電極を横断し、各第２の電極は、少なくとも１つの第１の電極を横断する。タッチセンシティブ装置は、ノードで互いを横断する対応する第１の電極と第２の電極との間の結合容量の変化を検出することによって、ノード近傍で加えられた接触の位置を検出するように構成されている。複数の第１及び第２の電極をコントローラに電気的に結合するための複数の導電性バスラインが、境界領域内に配置される。複数のノードのうちの少なくとも１つのノードは、境界領域内に配置される。
【０００５】
別の態様では、容量性タッチセンシティブ装置は、光学的に透明なタッチセンシティブ領域と、タッチセンシティブ領域を取り囲む光学的に不透明な境界領域とを含む。複数の隔置された光学的に透明な第１の導電性電極が、タッチセンシティブ領域内に配置され、第１の方向に沿って延びる。複数の隔置された光学的に透明な第２の導電性電極が、タッチセンシティブ領域内に配置され、異なる第２の方向に沿って延びる。タッチセンシティブ装置は、接触位置付近で互いを横断する第１の電極と第２の電極との間の結合容量の変化を検出することによって、タッチセンシティブ領域内で加えられた接触の位置を検出するように構成されている。複数の第１及び第２の電極をコントローラに電気的に結合するための複数の導電性バスラインが、境界領域内に配置される。第１及び第２の電極の少なくとも１つは、境界領域内に配置される。
【０００６】
上記その他の様々な特徴及び利点は、以下の詳細な説明を読めば明らかである。
【図面の簡単な説明】
【０００７】
本開示は、添付の図面に関連する本開示の様々な実施形態の以下の詳細な説明を考慮すれば、より完全に理解することができる。
【０００８】
【図１】例示的な容量性タッチセンサ装置の概略図である。
【０００９】
【図２】平行な第１の導電性メッシュ電極の概略図である。
【００１０】
【図３】平行でジグザグの第１及び第２の電極の別の実施形態の概略図である。
【発明を実施するための形態】
【００１１】
以下の詳細な説明では、例示を目的としていくつかの特有の実施形態を示す本明細書の一部を形成する添付の図面を参照する。本開示の範囲又は趣旨から逸脱することなく、他の実施形態も企図及び実施することができることを理解されたい。したがって、以下の詳細な説明は、限定的な意味で解釈されるべきでない。
【００１２】
本明細書で使用するすべての科学的及び技術的用語は、特に指示がない限り、当技術分野で一般的に用いられる意味を有する。本明細書において与えられる定義は、本明細書中で頻繁に使用される特定の用語の理解を助けるためのものであり、本開示の範囲を限定するためのものではない。
【００１３】
特に記載がない限り、本明細書及び特許請求の範囲で使用する特徴のサイズ、量、及び物理的特性を表わすすべての数字は、いずれの場合も「約」という用語によって修飾されるものとして理解されたい。したがって、それと反対の指示がない限り、本明細書及び添付の特許請求の範囲内に記載する数値パラメータは、本明細書に開示する教示を利用して当業者が得ようとする特性に応じて変動する可能性のある近似値である。
【００１４】
端点による数値範囲の記載は、その範囲内に包含されるすべての数（たとえば、１〜５は、１、１．５、２、２．７５、３、３．８０、４、及び５を含む）、及びその範囲内の任意の範囲を含む。
【００１５】
本明細書及び添付の特許請求の範囲では、単数形「ａ」、「ａｎ」、及び「ｔｈｅ」は、その内容について特に明確な指示がない限り、複数の指示対象を有する実施形態を包含する。
【００１６】
本明細書及び添付の特許請求の範囲では、「又は」という用語は、概して、その内容について特に明確な指示がない限り、「及び／又は」を含む意味で用いられる。
【００１７】
本明細書では、「有する（have、having）」、「含む（include、including）」、「含む（comprise、comprising）」などは、非限定的（open ended）な意味で使用し、概して「〜が挙げられるが、これらに限定されない」ことを意味する。「〜から本質的になる」、「〜からなる」などは、「〜を含む」などに包含されることが理解されよう。
【００１８】
本開示では、
【００１９】
「境界領域」とは、容量性タッチセンサ装置のうち、閲覧領域以外の部分を指し、多くの場合、境界領域は不透明であり、容量性タッチセンサのためのバスラインを含み、
【００２０】
「光学的に透明」とは、光学的密度又は吸収度が１未満であることを指し、
【００２１】
「光学的に不透明」とは、光学的密度が少なくとも２又は少なくとも３であることを指す。
【００２２】
本開示は、閲覧領域及び境界領域を含む容量性タッチセンサ装置に関する。閲覧領域と境界領域の両方の中に、電気感知ノード又は電極が配置される。境界領域内に１つ以上の感知ノード又は第１及び第２の平行電極を配置することで、容量性タッチセンサ装置の性能を改善することができる。境界領域内に１つ以上の複数の感知ノード又は第１及び第２の平行電極を配置することで、容量性タッチセンサ装置の性能を改善することができる。この性能改善は、加えられた接触の位置を検出する精度を改善することができる。加えられた接触の位置を検出する精度は、たとえば、閲覧領域内の電界の線形性又は均一性に依存する。少なくとも１つの態様では、境界領域内に１つ以上の感知ノード又は第１及び第２の平行電極を配置することで、閲覧領域内の電界の線形性又は均一性を改善し、その結果、加えられた接触の位置を検出する精度を改善する。本開示はそのようには限定されないが、以下に提供する例の説明を通じて、本開示の様々な態様の理解が得られるであろう。
【００２３】
図１は、例示的な容量性タッチセンサ装置１０の概略図である。容量性タッチセンシティブ装置１０は、タッチセンシティブ領域又は閲覧領域２０と、タッチセンシティブ領域又は閲覧領域２０を取り囲む境界領域３０とを含むことができる。多くの実施形態では、タッチセンシティブ領域２０は光学的に透明であり、境界領域３０は光学的に不透明である。多くの実施形態では、タッチセンシティブ領域２０は、第１の最大幅Ｗ’を有し、境界領域３０は、第１の最大幅Ｗ’より少なくとも１０倍又は少なくとも１００倍小さい第２の最大幅Ｗ”を有する。
【００２４】
境界領域３０は光学的に不透明であり、光学的密度は少なくとも２又は少なくとも３である。多くの実施形態では、光学的に不透明な層が、境界領域３０内に配置され、境界領域３０を画定し、好ましくは閲覧領域２０に重複又は進入しない。光学的に不透明な層は、不透明な材料を印刷することによって形成することができる。
【００２５】
容量性タッチセンサ装置１０は、平面又は曲面とすることができ、表示システムを形成するように、関連する隣接表示パネルに共形とすることができる。表示システムは、情報を表示するように構成された閲覧領域を有するディスプレイと、ディスプレイ上に配置された容量性タッチセンシティブ装置１０とを含むことができる。タッチセンシティブ領域２０は、ディスプレイの閲覧領域と実質上位置合わせすることができる。
【００２６】
複数の隔置された第１の導電性電極２２が、タッチセンシティブ領域２０内に配置され、第１の方向に沿って（たとえば、Ｙ方向に沿って）延びる。第１の電極２２は、光学的に透明とすることができる。第１の電極２２は、インジウムスズ酸化物（ＩＴＯ）、酸化亜鉛（ＺｎＯ）、酸化亜鉛アルミニウム（ＡＺＯ）、インジウム酸化亜鉛（ＩＺＯ）、及びスズアンチモン酸化物（ＴＡＯ）の少なくとも１つなどの光学的に透明な金属酸化物から形成することができ、又はこれを含むことができる。多くの実施形態では、各第１の電極２２は自己支持型の導電性ワイヤであって、導電性ワイヤ上に被覆された絶縁クラッディングによって取り囲まれている導電性ワイヤである。
【００２７】
６つの平行に延びる第１の電極２２を示すが、容量性タッチセンサ装置１０は任意の数の第１の電極２２を含むことができることが理解される。第１の電極２２の少なくとも１つは、境界領域３０内へ延びる。多くの実施形態では、複数の第１の電極２２のすべて（図示の通り）が、境界領域３０内へ延びる。
【００２８】
複数の隔置された第２の導電性電極２４が、タッチセンシティブ領域２０内に配置され、異なる第２の方向に沿って（すなわち、第１の方向とは異なる方向、たとえばＸ方向に沿って）延びる。多くの実施形態では、第２の電極２４は第１の電極２２に直交する。第２の電極２４は、光学的に透明とすることができる。第２の電極２４は、インジウムスズ酸化物（ＩＴＯ）、酸化亜鉛（ＺｎＯ）、酸化亜鉛アルミニウム（ＡＺＯ）、インジウム酸化亜鉛（ＩＺＯ）、及びスズアンチモン酸化物（ＴＡＯ）の少なくとも１つなどの光学的に透明な金属酸化物から形成することができ、又はこれを含むことができる。多くの実施形態では、各第２の電極２４は自己支持型の導電性ワイヤであって、導電性ワイヤ上に被覆された絶縁クラッディングによって取り囲まれている導電性ワイヤである。
【００２９】
５つの平行に延びる第２の電極２４を示すが、容量性タッチセンサ装置１０は任意の数の第２の電極２４を含むことができることが理解される。第２の電極２４の少なくとも１つは、境界領域３０内へ延びる。多くの実施形態では、複数の第２の電極２４のすべてが、境界領域３０内へ延びる。図１は、境界領域３０内に１つの第２の電極全体を示す。
【００３０】
容量性タッチセンシティブ装置１０は、複数のノード２６を含む。各ノード２６は、ノード２６で互いを横断する対応する第１及び第２の電極によって画定される。各第１の電極２２は、少なくとも１つの第２の電極２４を横断する。各第２の電極２４は、少なくとも１つの第１の電極２２を横断する。容量性タッチセンシティブ装置１０は、ノード２６で互いを横断する対応する第１の電極２２と第２の電極２４との間の結合容量の変化を検出することによって、ノード２６近傍で加えられた接触の位置を検出するように構成されている。
【００３１】
第１の電極２２又は第２の電極２４の少なくとも１つ又は一部分が、境界領域内に配置される。多くの実施形態では、第１の電極２２の少なくとも１つ又は一部分、及び第２の電極２４の少なくとも１つ又は一部分が、境界領域３０内に配置される。多くの実施形態では、複数のノードのうちの少なくとも１つのノード２６が、境界領域３０内に配置される。図１は、境界領域３０内に配置された６つのノード２６と、閲覧領域２０内に配置された２４個のノード２６とを示す。閲覧領域２０は、１００個以上又は１０００個以上のノード２６を有することができ、境界領域はまた、所望される場合、任意の有用な数のノード２６を有することができることが理解される。
【００３２】
複数の第１の電極２２及び／又は第２の電極２４をコントローラ５０に電気的に結合するための複数の導電性バスライン３２が、境界領域３０内に配置される。多くの実施形態では、各バスライン３２は自己支持型の導電性ワイヤであって、導電性ワイヤ上に被覆された絶縁クラッディングによって取り囲まれている導電性ワイヤである。多くの実施形態では、第１の電極２２及び第２の電極２４は、第１の群の電極と、残りの第２の群の電極とを形成し、バスライン３２は、第１の群のバスラインと、残りの第２の群のバスラインとを形成し、第１の群の電極は、第１の群のバスラインによって境界領域の第１の外側エッジ１２へ導かれ、第２の群の電極は、第２の群のバスラインによって境界領域のうち異なる第２の外側エッジ１２へ導かれる（図１に示す）。第１の外側エッジは、第２の外側エッジの反対側である。他の実施形態では、第１及び第２の電極は、バスラインによって境界領域３０の同じ外側エッジ１２へ導かれる。
【００３３】
導電性のバスライン３２は、複数の第１の電極２２及び第２の電極２４のすべて又は一部分をコントローラ５０に電気的に接続することができる。いくつかの実施形態では、境界領域３０内に配置された少なくとも１つの第１の電極２２又は第２の電極２４は、コントローラ５０に電気的に結合又は接続されていない。いくつかの実施形態では、境界領域３０内に配置された少なくとも１つの第１の電極２２及び第２の電極２４は、コントローラ５０に電気的に結合又は接続されていない。いくつかの実施形態では、複数のノードのうち、境界領域３０内に配置された少なくとも１つのノード２６は、少なくとも１つのノード２６で互いを横断する第１の電極２２及び第２の電極２４に対応し、第１の電極２２及び第２の電極２４の少なくとも１つは、境界領域３０内に配置されたバスライン３２に電気的に接続されていない。
【００３４】
第１の電極２２及び第２の電極２４は、任意の有用な方法で閲覧領域２０内に配置することができる。いくつかの実施形態では、第１の電極２２は、タッチセンシティブ領域２０内に配置された光学的に透明な基板の第１の主表面上に配置され、第２の電極２４は、タッチセンシティブ領域２０内の光学的に透明な基板の反対側の第２の主表面上に配置される。他の実施形態では、第１の電極２２及び第２の電極２４は、タッチセンシティブ領域２０内に配置された光学的に透明な基板の第１の主表面上に配置される。多くの実施形態では、各第１の電極２２及び第２の電極２４は自己支持型の導電性ワイヤであって、導電性ワイヤ上に被覆された絶縁クラッディングによって取り囲むことができる導電性ワイヤである。
【００３５】
図２及び図３は、代替の電極構成を示す。図２は、平行な第１の導電性メッシュ電極１２２の概略図である。図３は、平行でジグザグの第１の電極２２２及び第２の電極２２４の別の実施形態の概略図である。
【００３６】
図２は、５つの平行な光学的に透明な第１の導電性メッシュ電極１２２を示し、１つの第１のメッシュ電極１２２が、境界領域３０内に配置されている。バスライン３２は、各第１のメッシュ電極１２２をタッチセンシティブ装置の電子機器に接続する。バスライン３２は、上記のように境界領域３０内に配置される。各第１のメッシュ電極１２２は、複数の導電性エッジ１２３を接続する複数の頂点１２１を含む光学的に透明な導電性メッシュによって画定される。第２の電極２４（図２には図示せず）は、平行で光学的に透明な第２の導電性メッシュ電極として同様に構成することができる。これらの第２のメッシュ電極は、第１のメッシュ電極１２２に関して上述したように構成することができる。別法として、第２の電極２４は、所望される場合、図３又は図１に従って構成することができる。
【００３７】
導電性エッジ１２３は第２の最大幅Ｗ２を有し、光学的に不透明である。いくつかの実施形態では、導電性エッジ１２３は、線形又は直線である。他の実施形態では、導電性エッジ１２３は曲線又は弓形である。多くの実施形態では、複数の導電性エッジ１２３のうちの各エッジ１２３は、銅、銀、又は金の少なくとも１つから形成されるか又はこれを含む。各導電性エッジ１２３の最大幅は、１０ミクロン未満又は５ミクロン未満である。多くの実施形態では、各導電性エッジ１２３は、エッジ１２３の長さ全体に沿って実質上一定の幅を有する。他の実施形態では、各導電性エッジ１２３は、エッジ１２３の長さに沿って変動する幅を有する。
【００３８】
各第１のメッシュ電極１２２は、長さ及び第１の最大幅Ｗ１によって画定され、複数の導電性エッジのうちの各エッジは、第１の最大幅Ｗ１より少なくとも１０倍又は少なくとも１００倍小さい第２の最大幅Ｗ２を有する。
【００３９】
各第１のメッシュ電極１２２の光の透過率は、約９５％より大きく、又は約９８％より大きい。各第１のメッシュ電極１２２の孔面積率は、少なくとも９５％又は少なくとも９８％である。
【００４０】
図３は、平行なジグザグ電極２２２、２２４の別の実施形態の概略図である。この図は、ジグザグ状に配置された４つの平行（垂直）な第１の電極２２２と、ジグザグ状に配置された３つの平行（水平）な第２の電極２２４とを示す。この構成は、第１の電極２２２及び第２の電極２２４が、平行（垂直）な第１の電極２２２の幅及び平行（水平）な第２の電極２２４の長さに及ぶ周期的なパターンで構成されることを除いて、図１に概略的に説明した通りである。多くの実施形態では、各第１の電極２２２は自己支持型の導電性ワイヤ２１であり、導電性ワイヤ２１上に被覆された絶縁クラッディングによって取り囲まれている。多くの実施形態では、各第２の電極２２４は自己支持型の導電性ワイヤ２３であり、導電性ワイヤ２３上に被覆された絶縁クラッディングによって取り囲まれている。
【００４１】
ある第１の電極２２２は境界領域３０内に配置され、残りの第１の電極２２２は閲覧領域２０内に配置される。バスライン３２が境界領域３０内に位置し、第１の電極２２２及び第２の電極２２４をコントローラに接続する。
【００４２】
多くの実施形態では、各第１の電極２２２及び第２の電極２２４は、第１の電極２２２の反対側の長手方向端部で互いに電気的に接続された複数の実質上平行な導電性電極ラインを含む。他の実施形態では、各第１の電極２２２は、第１の電極２２２の反対側の長手方向端部で互いに電気的に接続された複数の実質上平行な導電性電極ラインを含むが、第２の電極２２４は含まない。多くの実施形態では、互いを横断する各第１及び第２の電極は、第１の電極と第２の電極がどちらも周期的なパターンを画定するので、複数のノード２６を画定する。
【００４３】
各ノード２６は、ノード２６で互いを横断する対応する第１及び第２の電極によって画定される。
【００４４】
したがって、容量性タッチセンサ装置の実施形態を開示する。
【００４５】
実施形態１は、容量性タッチセンシティブ装置であって、タッチセンシティブな閲覧領域と、タッチセンシティブな閲覧領域を取り囲む境界領域と、タッチセンシティブな閲覧領域内に配置され、第１の方向に沿って延びる複数の隔置された第１の導電性電極と、タッチセンシティブな閲覧領域内に配置され、異なる第２の方向に沿って延びる複数の隔置された第２の導電性電極と、複数のノードであって、各ノードが、ノードで互いを横断する対応する第１及び第２の電極によって画定され、各第１の電極が少なくとも１つの第２の電極を横断し、各第２の電極が少なくとも１つの第１の電極を横断し、タッチセンシティブ装置が、ノードで互いを横断する対応する第１の電極と第２の電極との間の結合容量の変化を検出することによって、ノード近傍で加えられた接触の位置を検出するように構成されている、複数のノードと、複数の第１及び第２の電極をコントローラに電気的に結合するために境界領域内に配置された複数の導電性バスラインとを備え、複数のノードのうちの少なくとも１つのノードが境界領域内に配置されている、容量性タッチセンシティブ装置である。
【００４６】
実施形態２は、タッチセンシティブな閲覧領域が光学的に透明である、実施形態１のタッチセンシティブ装置である。
【００４７】
実施形態３は、境界領域が光学的に不透明である、実施形態１のタッチセンシティブ装置である。
【００４８】
実施形態４は、境界領域内に配置されているが、タッチセンシティブな閲覧領域には配置されていない光学的に不透明な層を含む、実施形態３のタッチセンシティブ装置である。
【００４９】
実施形態５は、光学的に不透明な層が、印刷された光学的に不透明な層である、実施形態４のタッチセンシティブ装置である。
【００５０】
実施形態６は、境界領域の光学的密度が少なくとも２である、実施形態３のタッチセンシティブ装置である。
【００５１】
実施形態７は、境界領域の光学的密度が少なくとも３である、実施形態３のタッチセンシティブ装置である。
【００５２】
実施形態８は、複数の第１及び第２の電極のうちの第１及び第２の電極が、光学的に透明である、実施形態１のタッチセンシティブ装置である。
【００５３】
実施形態９は、複数の第１及び第２の電極のうちの第１及び第２の電極が、光学的に透明な金属酸化物を含む、実施形態１のタッチセンシティブ装置である。
【００５４】
実施形態１０は、光学的に透明な金属酸化物が、インジウムスズ酸化物（ＩＴＯ）、酸化亜鉛（ＺｎＯ）、酸化亜鉛アルミニウム（ＡＺＯ）、インジウム酸化亜鉛（ＩＺＯ）、及びスズアンチモン酸化物（ＴＡＯ）の少なくとも１つを含む、実施形態１のタッチセンシティブ装置である。
【００５５】
実施形態１１は、各第１の電極が、複数の導電性エッジを接続する複数の頂点を含む光学的に透明な導電性メッシュを含む、実施形態１のタッチセンシティブ装置である。
【００５６】
実施形態１２は、複数の導電性エッジのうちの各エッジが光学的に不透明である、実施形態１１のタッチセンシティブ装置である。
【００５７】
実施形態１３は、複数の導電性エッジのうちの少なくともいくつかのエッジが直線である、実施形態１１のタッチセンシティブ装置である。
【００５８】
実施形態１４は、複数の導電性エッジのうちの少なくともいくつかのエッジが曲線である、実施形態１１のタッチセンシティブ装置である。
【００５９】
実施形態１５は、複数の導電性エッジのうちの各エッジが、銅、銀、又は金の少なくとも１つを含む、実施形態１１のタッチセンシティブ装置である。
【００６０】
実施形態１６は、各第１の電極が、第１の最大幅を有し、複数の導電性エッジのうちの各エッジが、第１の最大幅より少なくとも１０倍小さい第２の最大幅を有する、実施形態１１のタッチセンシティブ装置である。
【００６１】
実施形態１７は、各第１の電極が、第１の最大幅を有し、複数の導電性エッジのうちの各エッジが、第１の最大幅より少なくとも１００倍小さい第２の最大幅を有する、実施形態１１のタッチセンシティブ装置である。
【００６２】
実施形態１８は、各第１の電極の光の透過率が約９５％より大きい、実施形態１１のタッチセンシティブ装置である。
【００６３】
実施形態１９は、各第１の電極の光の透過率が約９８％より大きい、実施形態１１のタッチセンシティブ装置である。
【００６４】
実施形態２０は、各第１の電極の孔面積率が少なくとも９５％である、実施形態１１のタッチセンシティブ装置である。
【００６５】
実施形態２１は、各第１の電極の孔面積率が少なくとも９８％である、実施形態１１のタッチセンシティブ装置である。
【００６６】
実施形態２２は、複数の導電性エッジのうちの各エッジの最大幅が１０ミクロン未満である、実施形態１１のタッチセンシティブ装置である。
【００６７】
実施形態２３は、複数の導電性エッジのうちの各エッジの最大幅が５ミクロン未満である、実施形態１１のタッチセンシティブ装置である。
【００６８】
実施形態２４は、複数の導電性エッジのうちの各エッジが、エッジの長さ全体に沿って実質上一定の幅を有する、実施形態１１のタッチセンシティブ装置である。
【００６９】
実施形態２５は、複数の導電性エッジのうちの各エッジが、エッジの長さに沿って変動する幅を有する、実施形態１１のタッチセンシティブ装置である。
【００７０】
実施形態２６は、各第２の電極が、複数の導電性エッジを接続する複数の頂点を含む光学的に透明な導電性メッシュを含む、実施形態１のタッチセンシティブ装置である。
【００７１】
実施形態２７は、各第１及び第２の電極がジグザグのパターンを含む、実施形態１のタッチセンシティブ装置である。
【００７２】
実施形態２８は、各第１及び第２の電極が、第１の電極の反対側の長手方向端部で互いに電気的に接続された複数の実質上平行な導電性電極ラインを含む、実施形態１のタッチセンシティブ装置である。
【００７３】
実施形態２９は、各第１の電極が、第１の電極の反対側の長手方向端部で互いに電気的に接続された複数の実質上平行な導電性電極ラインを含むが、第２の電極はそれを含まない、実施形態１のタッチセンシティブ装置である。
【００７４】
実施形態３０は、各第１及び第２の電極が自己支持型の導電性ワイヤを含む、実施形態１のタッチセンシティブ装置である。
【００７５】
実施形態３１は、導電性ワイヤが、導電性ワイヤ上に被覆された絶縁クラッディングによって取り囲まれている、実施形態３０のタッチセンシティブ装置である。
【００７６】
実施形態３２は、各バスラインが自己支持型の導電性ワイヤであって、導電性ワイヤ上に被覆された絶縁クラッディングによって取り囲まれている導電性ワイヤを含む、実施形態１のタッチセンシティブ装置である。
【００７７】
実施形態３３は、少なくとも１つの第１又は第２の電極が境界領域内に配置される、実施形態１のタッチセンシティブ装置である。
【００７８】
実施形態３４は、境界領域内に配置された少なくとも１つの第１又は第２の電極が、コントローラに電気的に接続されていない、実施形態１のタッチセンシティブ装置である。
【００７９】
実施形態３５は、少なくとも１つの第１の電極及び少なくとも１つの第２の電極が境界領域内に配置される、実施形態１のタッチセンシティブ装置である。
【００８０】
実施形態３６は、境界領域内に配置された少なくとも１つの第１の電極及び少なくとも１つの第２の電極が、コントローラに電気的に接続されていない、実施形態３５のタッチセンシティブ装置である。
【００８１】
実施形態３７は、複数のノードのうち、境界領域内に配置された少なくとも１つのノードが、少なくとも１つのノードで互いを横断する第１の電極及び第２の電極に対応し、第１及び第２の電極の少なくとも１つが、境界領域内に配置された複数の導電性バスラインのうちの１つのバスラインに電気的に接続されていない、実施形態１のタッチセンシティブ装置である。
【００８２】
実施形態３８は、タッチセンシティブな閲覧領域が、第１の最大幅を有し、境界領域が、第１の最大幅より少なくとも１０倍小さい第２の最大幅を有する、実施形態１のタッチセンシティブ装置である。
【００８３】
実施形態３９は、タッチセンシティブな閲覧領域が、第１の最大幅を有し、境界領域が、第１の最大幅より少なくとも１００倍小さい第２の最大幅を有する、実施形態１のタッチセンシティブ装置である。
【００８４】
実施形態４０は、第１及び第２の電極が、第１の群の電極と、残りの第２の群の電極とを形成し、バスラインが、第１の群のバスラインと、残りの第２の群のバスラインとを形成し、第１の群の電極が、第１の群のバスラインによって境界領域の第１の外側エッジへ導かれ、第２の群の電極が、第２の群のバスラインによって境界領域の異なる第２の外側エッジへ導かれる、実施形態１のタッチセンシティブ装置である。
【００８５】
実施形態４１は、第１の外側エッジが第２の外側エッジの反対側である、実施形態４０のタッチセンシティブ装置である。
【００８６】
実施形態４２は、第１及び第２の電極が、バスラインによって境界領域の同じ外側エッジへ導かれる、実施形態１のタッチセンシティブ装置である。
【００８７】
実施形態４３は、第１の電極が、タッチセンシティブな閲覧領域内に配置された光学的に透明な基板の第１の主表面上に配置され、第２の電極が、タッチセンシティブな閲覧領域内の光学的に透明な基板の反対側の第２の主表面上に配置される、実施形態１のタッチセンシティブ装置である。
【００８８】
実施形態４４は、平面である実施形態１のタッチセンシティブ装置である。
【００８９】
実施形態４５は、曲面である実施形態１のタッチセンシティブ装置である。
【００９０】
実施形態４６は、情報を表示するように構成された閲覧領域を有するディスプレイと、ディスプレイ上に配置された実施形態１のタッチセンシティブ装置とを備え、タッチセンシティブな閲覧領域が、ディスプレイの閲覧領域と実質上位置合わせされている、表示システムである。
【００９１】
実施形態４７は、容量性タッチセンシティブ装置であって、光学的に透明なタッチセンシティブ領域と、タッチセンシティブ領域を取り囲む光学的に不透明な境界領域と、タッチセンシティブ領域内に配置され、第１の方向に沿って延びる複数の隔置された光学的に透明な第１の導電性電極と、タッチセンシティブ領域内に配置され、異なる第２の方向に沿って延びる複数の隔置された光学的に透明な第２の導電性電極であり、タッチセンシティブ装置が、接触位置付近で互いを横断する第１の電極と第２の電極との間の結合容量の変化を検出することによって、タッチセンシティブ領域内で加えられた接触の位置を検出するように構成されている、第２の電極と、複数の第１及び第２の電極をコントローラに電気的に結合するために境界領域内に配置された複数の導電性バスラインとを備え、第１及び第２の電極の少なくとも１つが境界領域内に配置される、容量性タッチセンシティブ装置である。
【００９２】
実施形態４８は、境界領域内に配置されているが、タッチセンシティブ領域には配置されていない光学的に不透明な層を含む、実施形態４７のタッチセンシティブ装置である。
【００９３】
実施形態４９は、光学的に不透明な層が、印刷された光学的に不透明な層である、実施形態４８のタッチセンシティブ装置である。
【００９４】
実施形態５０は、境界領域の光学的密度が少なくとも２である、実施形態４７のタッチセンシティブ装置である。
【００９５】
実施形態５１は、境界領域の光学的密度が少なくとも３である、実施形態４７のタッチセンシティブ装置である。
【００９６】
実施形態５２は、複数の第１及び第２の電極のうちの第１及び第２の電極が、光学的に透明な金属酸化物を含む、実施形態４７のタッチセンシティブ装置である。
【００９７】
実施形態５３は、光学的に透明な金属酸化物が、インジウムスズ酸化物（ＩＴＯ）、酸化亜鉛（ＺｎＯ）、酸化亜鉛アルミニウム（ＡＺＯ）、インジウム酸化亜鉛（ＩＺＯ）、及びスズアンチモン酸化物（ＴＡＯ）の少なくとも１つを含む、実施形態５２のタッチセンシティブ装置である。
【００９８】
実施形態５４は、各第１の電極が、複数の導電性エッジを接続する複数の頂点を含む光学的に透明な導電性メッシュを含む、実施形態４７のタッチセンシティブ装置である。
【００９９】
実施形態５５は、複数の導電性エッジのうちの各エッジが光学的に不透明である、実施形態５４のタッチセンシティブ装置である。
【０１００】
実施形態５６は、複数の導電性エッジのうちの少なくともいくつかのエッジが直線である、実施形態５４のタッチセンシティブ装置である。
【０１０１】
実施形態５７は、複数の導電性エッジのうちの少なくともいくつかのエッジが曲線である、実施形態５４のタッチセンシティブ装置である。
【０１０２】
実施形態５８は、複数の導電性エッジのうちの各エッジが、銅、銀、又は金の少なくとも１つを含む、実施形態５４のタッチセンシティブ装置である。
【０１０３】
実施形態５９は、各第１の電極が、第１の最大幅を有し、複数の導電性エッジのうちの各エッジが、第１の最大幅より少なくとも１０倍小さい第２の最大幅を有する、実施形態５４のタッチセンシティブ装置である。
【０１０４】
実施形態６０は、各第１の電極が、第１の最大幅を有し、複数の導電性エッジのうちの各エッジが、第１の最大幅より少なくとも１００倍小さい第２の最大幅を有する、実施形態５４のタッチセンシティブ装置である。
【０１０５】
実施形態６１は、各第１の電極の光の透過率が約９５％より大きい、実施形態５４のタッチセンシティブ装置である。
【０１０６】
実施形態６２は、各第１の電極の光の透過率が約９８％より大きい、実施形態５４のタッチセンシティブ装置である。
【０１０７】
実施形態６３は、各第１の電極の孔面積率が少なくとも９５％である、実施形態５４のタッチセンシティブ装置である。
【０１０８】
実施形態６４は、各第１の電極の孔面積率が少なくとも９８％である、実施形態５４のタッチセンシティブ装置である。
【０１０９】
実施形態６５は、複数の導電性エッジのうちの各エッジの最大幅が１０ミクロン未満である、実施形態５４のタッチセンシティブ装置である。
【０１１０】
実施形態６６は、複数の導電性エッジのうちの各エッジの最大幅が５ミクロン未満である、実施形態５４のタッチセンシティブ装置である。
【０１１１】
実施形態６７は、複数の導電性エッジのうちの各エッジが、エッジの長さ全体に沿って実質上一定の幅を有する、実施形態５４のタッチセンシティブ装置である。
【０１１２】
実施形態６８は、複数の導電性エッジのうちの各エッジが、エッジの長さに沿って変動する幅を有する、実施形態５４のタッチセンシティブ装置である。
【０１１３】
実施形態６９は、各第２の電極が、複数の導電性エッジを接続する複数の頂点を含む光学的に透明な導電性メッシュを含む、実施形態４７のタッチセンシティブ装置である。
【０１１４】
実施形態７０は、各第１及び第２の電極がジグザグのパターンを含む、実施形態４７のタッチセンシティブ装置である。
【０１１５】
実施形態７１は、各第１及び第２の電極が、第１の電極の反対側の長手方向端部で互いに電気的に接続された複数の実質上平行な導電性電極ラインを含む、実施形態４７のタッチセンシティブ装置である。
【０１１６】
実施形態７２は、各第１の電極が、第１の電極の反対側の長手方向端部で互いに電気的に接続された複数の実質上平行な導電性電極ラインを含むが、第２の電極はそれを含まない、実施形態４７のタッチセンシティブ装置である。
【０１１７】
実施形態７３は、各第１及び第２の電極が自己支持型の導電性ワイヤを含む、実施形態４７のタッチセンシティブ装置である。
【０１１８】
実施形態７４は、導電性ワイヤが、導電性ワイヤ上に被覆された絶縁クラッディングによって取り囲まれている、実施形態７３のタッチセンシティブ装置である。
【０１１９】
実施形態７５は、各バスラインが自己支持型の導電性ワイヤであって、導電性ワイヤ上に被覆された絶縁クラッディングによって取り囲まれている導電性ワイヤを含む、実施形態４７のタッチセンシティブ装置である。
【０１２０】
実施形態７６は、境界領域内に配置された少なくとも１つの第１又は第２の電極が、コントローラに電気的に接続されていない、実施形態４７のタッチセンシティブ装置である。
【０１２１】
実施形態７７は、少なくとも１つの第１の電極及び少なくとも１つの第２の電極が境界領域内に配置される、実施形態４７のタッチセンシティブ装置である。
【０１２２】
実施形態７８は、境界領域内に配置された少なくとも１つの第１の電極及び少なくとも１つの第２の電極が、コントローラに電気的に接続されていない、実施形態７７のタッチセンシティブ装置である。
【０１２３】
実施形態７９は、タッチセンシティブ領域が、第１の最大幅を有し、境界領域が、第１の最大幅より少なくとも１０倍小さい第２の最大幅を有する、実施形態４７のタッチセンシティブ装置である。
【０１２４】
実施形態８０は、タッチセンシティブ領域が、第１の最大幅を有し、境界領域が、第１の最大幅より少なくとも１００倍小さい第２の最大幅を有する、実施形態４７のタッチセンシティブ装置である。
【０１２５】
実施形態８１は、第１及び第２の電極が、第１の群の電極と、残りの第２の群の電極とを形成し、バスラインが、第１の群のバスラインと、残りの第２の群のバスラインとを形成し、第１の群の電極が、第１の群のバスラインによって境界領域の第１の外側エッジへ導かれ、第２の群の電極が、第２の群のバスラインによって境界領域の異なる第２の外側エッジへ導かれる、実施形態４７のタッチセンシティブ装置である。
【０１２６】
実施形態８２は、第１の外側エッジが第２の外側エッジの反対側である、実施形態８１のタッチセンシティブ装置である。
【０１２７】
実施形態８３は、第１及び第２の電極が、バスラインによって境界領域の同じ外側エッジへ導かれる、実施形態４７のタッチセンシティブ装置である。
【０１２８】
実施形態８４は、第１の電極が、タッチセンシティブ領域内に配置された光学的に透明な基板の第１の主表面上に配置され、第２の電極が、タッチセンシティブ領域内の光学的に透明な基板の反対側の第２の主表面上に配置される、実施形態４７のタッチセンシティブ装置である。
【０１２９】
実施形態８５は、平面である実施形態４７のタッチセンシティブ装置である。
【０１３０】
実施形態８６は、曲面である実施形態４７のタッチセンシティブ装置である。
【０１３１】
実施形態８７は、情報を表示するように構成された閲覧領域を有するディスプレイと、ディスプレイ上に配置された実施形態４７のタッチセンシティブ装置とを備え、タッチセンシティブ領域が、ディスプレイの閲覧領域と実質上位置合わせされている、表示システムである。
【０１３２】
実施形態８８は、各第１の電極が、ノードで各第２の電極を横断し、各第２の電極が、ノードで各第１の電極を横断し、タッチセンシティブ装置が、ノードで互いを横断する対応する第１の電極と第２の電極との間の結合容量の変化を検出することによって、ノード近傍で加えられた接触の位置を検出するように構成されている、実施形態４７のタッチセンシティブ装置である。
【０１３３】
実施形態８９は、少なくとも１つのノードが境界領域内に配置される、実施形態４７のタッチセンシティブ装置である。
【０１３４】
実施形態９０は、複数のノードが境界領域内に配置される、実施形態４７のタッチセンシティブ装置である。
【０１３５】
本明細書に引用するすべての参考文献及び刊行物は、本開示と直接矛盾する可能性のある範囲を除いて、本明細書において全体が参照により本開示に明確に組み込まれる。本明細書では具体的な実施形態について図示及び説明したが、本開示の範囲を逸脱することなく、図示及び説明した具体的な実施形態を、様々な代替的かつ／又は等価的な実現形態に置き換えることができることが、当業者には理解されよう。本出願は、本明細書に論じる特有の実施形態のあらゆる適合形態又は変形形態を包含することが意図される。したがって、本開示は、特許請求の範囲及びその等価物によってのみ限定されることが意図される。開示する実施形態は、限定ではなく例示の目的で提示するものである。
【図１】
2017524203.tif 000003
【図２】
2017524203.tif 000004
【図３】
2017524203.tif 000005
【国際調査報告】
2017524203.tif 000006
2017524203.tif 000007
2017524203.tif 000008